(57)【要約】      （修正有）【課題】簡易な構成でありながらも、防御反射を起こすことなく、臥床に横たわった身体の頚椎から胸椎までの生理的弯曲を促進して、身体の状態の根本的改善を導くクッションを提供する。【解決手段】臥位の身体１と臥床２との間に配設して使用するクッションであって、頭部を支える厚板状部分Ａと、肩甲骨を支える薄板状部分Ｃと、それらの間に位置する斜面から成る傾斜部分Ｂとが連なった略直方体状であり、厚板状部分Ａと薄板状部分Ｃとの段差及びそれらの間の傾斜部分Ｂによって、臥床２に横たわった身体の頭部から肩甲骨までを支えると共に圧迫刺激を与えて、頚椎から胸椎までの生理的弯曲を保つことを特徴とする。臥床に横たわった身体の身長方向における厚板状部分、傾斜部分、薄板状部分の長さは、それぞれ、２０〜５０ｃｍ、１５〜２５ｃｍ、１０〜２０ｃｍが好適であり、厚板状部分、薄板状部分の高さは、それぞれ、７〜１３ｃｍ、３〜７ｃｍが好適である。【選択図】図７
0003212855.tif 000002
【実用新案登録請求の範囲】
【請求項１】
臥位の身体と臥床との間に配設して使用するクッションであって、
頭部を支える厚板状部分と、肩甲骨を支える薄板状部分と、それらの間に位置する斜面から成る傾斜部分とが連なった略直方体状であり、
厚板状部分と薄板状部分との段差及びそれらの間の傾斜部分によって、臥床に横たわった身体の頭部から肩甲骨までを支える共に圧迫刺激を与えて、頚椎から胸椎までの生理的弯曲を保つ
ことを特徴とするクッション。
【請求項２】
臥床に横たわった身体の身長方向における厚板状部分、傾斜部分、薄板状部分の長さが、それぞれ、２０〜５０ｃｍ、１５〜２５ｃｍ、１０〜２０ｃｍである
請求項１に記載のクッション。
【請求項３】
厚板状部分、薄板状部分の高さが、それぞれ、７〜１３ｃｍ、３〜７ｃｍである
請求項１または２に記載のクッション。
【請求項４】
傾斜部分の傾斜角が、５〜１５°である
請求項１ないし３のいずれかに記載のクッション。
【請求項５】
頭部の荷重で厚板状部分が２〜４ｃｍ沈降する硬さである
請求項１ないし４のいずれかに記載のクッション。
【考案の詳細な説明】
【技術分野】
【０００１】
本考案は、臥位の身体と臥床との間に配設して使用し、身体の状態を改善可能なクッションに関する。
【背景技術】
【０００２】
身体に刺激を与えて状態を改善する療法に、マッサージや、鍼、灸などがある。これらは、侵襲的刺激であるので、筋肉が防御反射を起こして収縮してしまい、深くは凹まず、刺激効果が狭い部分にとどまる。
また、防御反射のため、脳に刺激を与えて脳を必要十分に活性化させることは起こし難く、身体の根本的な改善は容易でない。
【０００３】
身体に刺激を与えて状態を改善する従来の手段として、特許文献１〜６が挙げられる。
しかし、従来技術では、装置が大がかりであったり、防御反射を生じたりして、有効な身体の状態の根本的改善には難があった。
【先行技術文献】
【特許文献】
【０００４】
【特許文献１】特開２０１３−２１５６３２「腰椎牽引装置」
【特許文献２】特開２０１３−１４４１２０「関節に用いられる減圧、圧縮システムおよび装置」
【特許文献３】特表２０１１−５２１７４１「湾曲した身体部分に用いる減圧・圧縮システムおよび装置」
【特許文献４】特表２００６−５２５０７０「マッサージ装置」
【特許文献５】実開平５−８２３４３「寝具」
【特許文献６】実用新案登録第３１１７７１８号「磁気治療用クッションシート」
【考案の概要】
【考案が解決しようとする課題】
【０００５】
そこで、本考案は、簡易な構成でありながらも、防御反射を起こすことなく、臥床に横たわった身体の頚椎から胸椎までの生理的弯曲を促進して、身体の状態の根本的改善を導くクッションを提供することを課題とする。
【課題を解決するための手段】
【０００６】
上記課題を解決するために、本考案は次の構成を備える。
すなわち、本考案のクッションは、臥位の身体と臥床との間に配設して使用するクッションであって、頭部を支える厚板状部分と、肩甲骨を支える薄板状部分と、それらの間に位置する斜面から成る傾斜部分とが連なった略直方体状であり、厚板状部分と薄板状部分との段差及びそれらの間の傾斜部分によって、臥床に横たわった身体の頭部から肩甲骨までを支える共に圧迫刺激を与えて、頚椎から胸椎までの生理的弯曲を保つことを特徴とする。
【０００７】
ここで、臥床に横たわった身体の身長方向における厚板状部分、傾斜部分、薄板状部分の長さは、それぞれ、２０〜５０ｃｍ、１５〜２５ｃｍ、１０〜２０ｃｍが好適である。
【０００８】
厚板状部分、薄板状部分の高さは、それぞれ、７〜１３ｃｍ、３〜７ｃｍが好適である。
【０００９】
傾斜部分の傾斜角は、５〜１５°が好適である。
【００１０】
硬さは、頭部の荷重で厚板状部分が２〜４ｃｍ沈降する硬さが好適である。
【考案の効果】
【００１１】
本考案のクッションによると、厚板状部分と薄板状部分との段差及びそれらの間の傾斜部分とによって、臥床に横たわった身体の頭部から肩甲骨までを適度に支える共に圧迫刺激を与え、頚椎から胸椎までの生理的弯曲を促進するので、自律神経の活性化につながって身体の状態の根本的改善を奏する。
【図面の簡単な説明】
【００１２】
【図１】本考案によるクッションの実施例の正面図
【図２】本考案によるクッションの実施例の背面図
【図３】本考案によるクッションの実施例の左側面図
【図４】本考案によるクッションの実施例の平面図
【図５】本考案によるクッションの実施例の底面図
【図６】本考案によるクッションの実施例の斜視図
【図７】使用状態を示す斜視図
【図８】人体の骨格と本クッションとの関係を示した右側面視説明図
【考案を実施するための形態】
【００１３】
以下に、本考案の実施形態を説明する。なお、本考案の趣旨から逸脱しない範囲で、適宜設計変更可能であり、前記特許文献や従来公知の技術を援用可能である。
【００１４】
図１ないし６は、本考案によるクッションの実施例の正面図、背面図、左側面図、平面図、底面図、斜視図、図７は、その使用状態を示す斜視図である。
本クッションは、臥位の身体（１）と臥床（２）との間に配設して使用する。臥床（２）の端部に、下面（底面）を対向させて配置し、上面（平面）によって、臥床（２）に横たわった身体（１）の頭部から肩甲骨までを支え、身体に圧迫刺激を与える。
身体の頭部を支える厚板状部分（Ａ）と、肩甲骨を支える薄板状部分（Ｃ）と、それらの間に位置する斜面から成る傾斜部分（Ｂ）とが連なった略直方体状であり、上面（平面）に段差が設けられている。
【００１５】
その段差の形成された縦方向（臥床に横たわった身体の身長方向）の全長は、４５〜６５ｃｍが最適で、４０〜１００ｃｍが可能であり、そのうち、厚板状部分（Ａ）は、約２５ｃｍが最適で、２０〜５０ｃｍが可能であり、傾斜部分（Ｂ）は、１６〜１８ｃｍが最適で、１５〜２５ｃｍが可能であり、薄板状部分（Ｃ）は、１２〜１５ｃｍが最適で、１０〜２０ｃｍが可能である。
【００１６】
高さは、厚板状部分（Ａ）は、約１０ｃｍが最適で、７〜１３ｃｍが可能であり、薄板状部分（Ｃ）は、約５ｃｍが最適で、３〜７ｃｍが可能である。横幅は、約６０ｃｍが最適で、５０〜７０ｃｍが可能である。
【００１７】
比率としては、およそ、厚板状部分（Ａ）：傾斜部分（Ｂ）＋薄板状部分（Ｃ）＝５：６が好ましく、傾斜部分（Ｂ）：薄板状部分（Ｃ）＝３：４が好ましい。
【００１８】
傾斜部分（Ｂ）の傾斜角は、８〜１２°が最適で、５〜１５°が可能である。
なお、数値に幅があるのは、体格差への対応のためである。
【００１９】
また、硬さとしては、硬すぎると頭と頚椎を過剰に圧迫してしまうので、頭と頚椎を圧迫しすぎない程度の適度な柔軟性と弾力性を有することが望まれる。すなわち、厚板状部分（Ａ）が、頭部の荷重で２〜４ｃｍ沈降する程度が好ましい。材質としては、スポンジ状の合成樹脂が好適に使用できる。
【００２０】
図８は、人体の骨格と本クッションとの関係を示した右側面視の説明図である。
本クッションを用いると、体幹上部を支え、上部胸椎を臥床に対して上方に持ち上げることによって、胸椎の生理的弯曲（後弯）が形成される。この状態で頭を下ろした時、頭を支持する面が低過ぎず高過ぎない頚椎の生理的弯曲（前弯）が回復するため、頚椎から胸椎までの生理的弯曲が保たれ頭と頸椎が過剰に圧迫されるのを防ぎ、快適な睡眠も得られる。従来公知のクッションの中にも、頚椎の生理的弯曲のことを考え、クッションの形状で頸椎を矯正して生理的弯曲をつくろうとする試みがある。しかし、これでは胸椎の生理的弯曲（後弯）が出来ず頸椎を過剰に圧迫してしまい睡眠を阻害してしまう難点があった。本出願人は、体幹上部を支え、胸椎の生理的弯曲をつくり出すことが肝心であるとの知見を得て、それを実現する本クッションを考案した次第である。
【産業上の利用可能性】
【００２１】
従来公知の枕にも、頚椎の生理的弯曲のことを考え、クッションの形状で頸椎を矯正して生理的弯曲をつくろうとする試みがあるが、それでは胸椎の生理的弯曲（後弯）ができず頸椎を過剰に圧迫してしまい睡眠を阻害してしまう難点があった。それに対し、本クッションは、体幹上部を支え、胸椎の生理的弯曲をつくりだすことを実現するため、身体の状態の根本的改善を導くので、産業上有用である。
【符号の説明】
【００２２】
１  身体
２  臥床
Ａ  厚板状部分
Ｂ  傾斜部分
Ｃ  薄板状部分
【図１】
0003212855.tif 000003
【図２】
0003212855.tif 000004
【図３】
0003212855.tif 000005
【図４】
0003212855.tif 000006
【図５】
0003212855.tif 000007
【図６】
0003212855.tif 000008
【図７】
0003212855.tif 000009
【図８】
0003212855.tif 000010